【手続補正書】
【提出日】平成16年11月1日(2004.11.1)
【手続補正１】
【補正対象書類名】特許請求の範囲
【補正対象項目名】全文
【補正方法】変更
【補正の内容】
【特許請求の範囲】
【請求項１】
識別される特性を有する卵を処理する方法において、
複数の卵の各々から内容物を抽出する工程と、
各卵から抽出した内容物を検査し、所定の特性を有する卵を識別する工程と、
前記特性を有すると識別された卵を選択的に処理する工程と
を含む方法。
【請求項２】
内容物を抽出する前に前記複数の卵から生存卵を識別する工程と、
生存卵と識別された卵から内容物を抽出する工程と
をさらに含む請求項１に記載の方法。
【請求項３】
生存卵を識別する前記工程は生存卵を透光検卵する工程を含む請求項２に記載の方法。
【請求項４】
生存卵を識別する前記工程は
各卵に光源からの光を照射する工程であって、前記光は可視波長域および赤外波長域の波長を有する光であるような工程と、
各卵を通過する光を各卵に隣接して配置された検出器によって受光する工程と、
卵ごとに前記可視波長域および赤外波長域内の選択された波長における前記受光した光の強度を測定する工程と、
卵ごとに前記複数の可視波長および赤外波長における光強度を表すスペクトルを生成する工程と、
卵ごとの前記生成したスペクトルを生存卵に関連するスペクトルと比較し、生存卵を識別する工程と
を含む請求項２に記載の方法。
【請求項５】
各卵に光を照射する前記工程は各卵に約３００ナノメートルから約１１００ナノメートル（３００ｎｍ−１１００ｎｍ）の範囲内の波長を有する光を照射する工程を含む請求項４に記載の方法。
【請求項６】
生存卵を識別する前記工程は
前記複数の卵の不透明度を測定する工程と、
前記複数の卵の温度を測定する工程と、
前記不透明度と温度を用いて生存卵を識別する工程と
を含む請求項２に記載の方法。
【請求項７】
卵から内容物を抽出する前記工程は卵から尿膜液、羊膜、卵黄、殻、卵白、組織、細胞膜、および／または血液を抽出する工程を含む請求項１に記載の方法。
【請求項８】
卵から内容物を抽出する前記工程は
各卵を略水平配向に位置決めする工程と、
探針を卵の殻を通して挿入する工程と、
卵の尿膜から尿膜液のサンプルを前記探針によって抽出する工程と
を含む請求項７に記載の方法。
【請求項９】
各卵を略水平配向に位置決めする前記工程は卵の長軸が垂直方向から約１０°から１８０°の範囲内の角度だけ傾斜するように卵を位置決めする工程からなり、垂直方向である０°の角度は垂直方向に沿って配置された卵の上側の位置にある大端によって定められる請求項８に記載の方法。
【請求項１０】
尿膜液を各卵から抽出したあと、前記卵を略水平配向から略垂直配向に再位置決めする工程と、
前記略垂直に配向された卵を他の場所に移動させる工程と
をさらに含む請求項８に記載の方法。
【請求項１１】
各卵から抽出された内容物を検査し、卵の１つ以上の特性を識別する前記工程は前記抽出された尿膜液内のエストラゲン化合物の存在を検出する工程を含む請求項８に記載の方法。
【請求項１２】
エストラゲン化合物の存在を検出する前記工程は
卵から抽出された尿膜液を各容器に注入する工程と、
前記容器にバイオセンサを注入する工程であって、前記バイオセンサを尿膜液内のエストラゲン化合物と化学的に反応させ、尿膜液の色信号を変化させるような工程と、
前記容器内における尿膜液の色信号の変化を検出する工程と
を含む請求項１１に記載の方法。
【請求項１３】
エストラゲン化合物の存在を検出する前記工程は
各卵から抽出した尿膜液を容器に注入する工程であって、前記容器は尿膜液内のエストラゲン化合物と化学的に反応し、尿膜液の色信号を変化させるバイオセンサを含んでいるような工程と、
前記容器内の尿膜液の色信号の変化を検出する工程と
を含む請求項１１に記載の方法。
【請求項１４】
各卵から抽出された内容物を検査し、卵の１つ以上の特性を識別する前記工程は卵の性別を識別する工程からなり、生存卵を選択的に処理する前記工程は性別の識別された卵にワクチンを選択的に注射する工程を含む請求項１に記載の方法。
【請求項１５】
雄と識別された卵に第１ワクチンを注射し、雌と識別された卵に第２ワクチンを注射する工程をさらに含む請求項１３に記載の方法。
【請求項１６】
各卵から抽出された内容物を検査し、卵の１つ以上の特性を識別する前記工程は卵の性別を識別する工程からなり、生存卵を処理する前記工程は同一の性別を有していると識別された卵を取除く工程を含む請求項１に記載の方法。
【請求項１７】
各卵から抽出された内容物を検査し、卵の１つ以上の特性を識別する前記工程は卵内の１つ以上の病源菌を識別する工程からなり、生存卵を処理する前記工程は１つ以上の病源菌を有していると識別された卵を取除く工程を含む請求項１に記載の方法。
【請求項１８】
各卵から抽出された内容物を検査し、卵の１つ以上の特性を識別する工程は卵に遺伝子分析を施す工程を含む請求項１に記載の方法。
【請求項１９】
性別に基づいて卵を処理する方法において、
複数の卵から生存卵を識別する工程と、
生存卵として識別された卵から内容物を抽出する工程と、
各卵から識別された内容物を検査し、卵の性別を識別する工程と、
性別に基づいて生存卵にワクチンを選択的に注射する工程と
を含む方法。
【請求項２０】
生存卵にワクチンを選択的に注射する前記工程の前に性別によって生存卵を分別する工程をさらに含む請求項１９に記載の方法。
【請求項２１】
生存卵にワクチンを選択的に注射する前記工程の後に生存卵によって生存卵を分別する工程をさらに含む請求項１９に記載の方法。
【請求項２２】
生存卵を識別する前記工程は生存卵を透光検卵する工程を含む請求項１９に記載の方法。
【請求項２３】
生存卵を識別する前記工程は
各卵に光源からの光を照射する工程であって、前記光は可視波長域および赤外波長域の波長を有する光であるような工程と、
各卵を通過する光を各卵に隣接して配置された検出器によって受光する工程と、
卵ごとに前記可視波長域および赤外波長域内の選択された波長における前記受光した光の強度を測定する工程と、
卵ごとに前記複数の可視波長および赤外波長における光強度を表すスペクトルを生成する工程と、
卵ごとの前記生成したスペクトルを生存卵に関連するスペクトルと比較し、生存卵を識別する工程と
を含む請求項１９に記載の方法。
【請求項２４】
各卵に光を照射する前記工程は各卵に約３００ナノメートルから約１１００ナノメートル（３００ｎｍ−１１００ｎｍ）の範囲内の波長を有する光を照射する工程を含む請求項１９に記載の方法。
【請求項２５】
生存卵を識別する前記工程は
前記複数の卵の不透明度を測定する工程と、
前記複数の卵の温度を測定する工程と、
前記不透明度と温度を用いて生存卵を識別する工程と
を含む請求項１９に記載の方法。
【請求項２６】
卵から内容物を抽出する前記工程は卵から尿膜液、羊膜、卵黄、殻、卵白、組織、細胞膜、および／または血液を抽出する工程を含む請求項１９に記載の方法。
【請求項２７】
各生存卵から抽出された内容物を検査し、生存卵の性別を識別する工程は生存卵から抽出された尿膜液内のエストロゲン化合物の存在を検出する工程を含む請求項２６に記載の方法。
【請求項２８】
卵から内容物を抽出する前記工程は
各卵を略水平配向に位置決めする工程と、
探針を卵の殻を通してに挿入する工程と、
卵の尿膜から尿膜液のサンプルを前記探針によって抽出する工程と
を含む請求項２６に記載の方法。
【請求項２９】
各卵を略水平配向に位置決めする前記工程は卵の長軸が垂直方向から約１０°から１８０°の範囲内の角度だけ傾斜するように卵を位置決めする工程からなり、垂直方向である０°の角度は垂直方向に沿って配置された卵の上側の位置にある大端によって定められる請求項２８に記載の方法。
【請求項３０】
尿膜液を各卵から抽出したあと、前記卵を略水平配向から略垂直配向に再位置決めする工程と、
前記略垂直に配向された卵を他の場所に移動させる工程と
をさらに含む請求項２８に記載の方法。
【請求項３１】
エストラゲン化合物の存在を検出する前記工程は
卵から抽出された尿膜液を各容器に注入する工程と、
前記容器にバイオセンサを注入する工程であって、前記バイオセンサを尿膜液内のエストラゲン化合物と化学的に反応させ、尿膜液の色信号を変化させるような工程と、
前記容器内における尿膜液の色信号の変化を検出する工程と
を含む請求項２７に記載の方法。
【請求項３２】
エストラゲン化合物の存在を検出する前記工程は
各卵から抽出した尿膜液を容器に注入する工程であって、前記容器は尿膜液内のエストラゲン化合物と化学的に反応し、尿膜液の色信号を変化させるバイオセンサを含んでいるような工程と、
前記容器内の尿膜液の色信号の変化を検出する工程と
を含む請求項２７に記載の方法。
【請求項３３】
エストラゲン化合物の存在を検出する前記工程は
各卵から抽出した尿膜液を容器に注入する工程であって、前記容器は尿膜液内のエストラゲン化合物と化学的に反応し、検出可能な信号を生成するバイオセンサを含んでいるような工程と、
１つ以上の前記容器内に生成した信号を検出する工程と
を含む請求項２７に記載の方法。
【請求項３４】
性別によって卵を処理する方法において、
複数の卵から生存卵を識別する工程と、
生存卵と識別された卵から尿膜液を抽出する工程と、
生存卵から抽出された尿膜液内のエストラゲン化合物の存在を検出し、各生存卵の性別を識別する工程と、
性別の識別された生存卵にワクチンを選択的に注射する工程と
からなり、
尿膜液を抽出する前記工程は、各卵を略水平配向に位置決めし、各卵の尿膜を移動させ、各卵の殻の上部の下方に尿膜嚢を貯留して肥大化させる工程と、探針を卵の殻を通して前記肥大化した尿膜嚢に直接的に挿入する工程と、卵の尿膜から尿膜液のサンプルを前記探針によって抽出する工程とからなり、
エストラゲン化合物の存在を検出する前記工程は、生存卵から抽出された尿膜液を各容器内に注入する工程と、前記容器にバイオセンサを注入する工程であって、前記バイオセンサを尿膜液内のエストラゲン化合物と化学的に反応させ、尿膜液の色を変化させるような工程と、前記容器内における尿膜液の色の変化を検出する工程とからなる
方法。
【請求項３５】
性別によって生存卵を分別する工程をさらに含む請求項３４に記載の方法。
【請求項３６】
生存卵を識別する前記工程は生存卵を透光検卵する工程を含む請求項３４に記載の方法。
【請求項３７】
性別の識別された生存卵にワクチンを選択的に注射する工程は雄と識別された生存卵に第１ワクチンを注射し、雌と識別された生存卵に第２ワクチンを注射する工程を含む請求項３４に記載の方法。
【請求項３８】
性別の識別された生存卵にワクチンを選択的に注射する工程は同一の性別を有していると識別された生存卵内にワクチンを注射する工程を含む請求項３４に記載の方法。
【請求項３９】
鳥類の卵を処理する方法において、
複数の卵の各々から内容物を抽出する工程と、
各卵から抽出された内容物を検査し、１つ以上の病原体を内部に有する卵を識別する工程と、
１つ以上の病原体を有すると識別された卵を取除く工程と
を含む方法。
【請求項４０】
内容物を抽出する前に複数の卵から生存卵を識別する工程と、
生存卵と識別された卵から内容物を抽出する工程と
をさらに含む請求項３９に記載の方法。
【請求項４１】
鳥類の卵を処理する方法において、
複数の卵の各々から内容物を抽出する工程と、
各卵から抽出された内容物を検査し、各卵の性別を識別する工程と、
各卵から抽出された内容物を検査し、１つ以上の病原体を内部に有する卵を識別する工程と、
１つ以上の病原体を有すると識別された卵を取除く工程と
を含む方法。
【請求項４２】
内容物を抽出する前に複数の卵から生存卵を識別する工程と、
生存卵と識別された卵から内容物を抽出する工程と
をさらに含む請求項４１に記載の方法。
【請求項４３】
性別に基づいて卵にワクチンを選択的に注射する工程をさらに含む請求項４１に記載の方法。
【請求項４４】
雄と識別された卵に第１ワクチンを注射し、雌と識別された卵に第２ワクチンを注射する工程をさらに含む請求項４３に記載の方法。
【請求項４５】
同一の性別を有すると識別された卵を取除く工程をさらに含む請求項４１記載の方法。
【請求項４６】
鳥類の卵を処理する方法において、
複数の卵の各々から内容物を抽出する工程と、
各卵から抽出された内容物に遺伝分析を行なう工程と、
各卵から抽出された内容物を検査し、各卵の性別を識別する工程と、
各卵から抽出された内容物を検査し、１つ以上の病原体を内部に有する卵を識別する工程と、
１つ以上の病原体を有すると識別された卵を取除く工程と
を含む方法。
【請求項４７】
内容物を抽出する前に複数の卵から生存卵を識別する工程と、
生存卵と識別された卵から内容物を抽出する工程と
をさらに含む請求項４６に記載の方法。
【請求項４８】
性別に基づいて卵にワクチンを選択的に注射する工程をさらに含む請求項４６に記載の方法。
【請求項４９】
雄と識別された卵に第１ワクチンを注射し、雌と識別された卵に第２ワクチンを注射する工程をさらに含む請求項４８に記載の方法。
【請求項５０】
同一の性別を有すると識別された卵を取除く工程をさらに含む請求項４６に記載の方法。
【請求項５１】
鳥類の卵を処理する方法において、
複数の卵の各々から内容物を抽出する工程と、
各卵から抽出された内容物に遺伝分析を行なう工程と
各卵から抽出された内容物を検査し、１つ以上の病原体を内部に有する卵を識別する工程と、
１つ以上の病原体を有すると識別された卵を取除く工程と
を含む方法。
【請求項５２】
内容物を抽出する前に複数の卵から生存卵を識別する工程と、
生存卵と識別された卵から内容物を抽出する工程と
をさらに含む請求項５１に記載の方法。
【請求項５３】
鳥類の卵を処理する方法において、
複数の卵の各々から内容物を抽出する工程と、
各卵から抽出された内容物に遺伝分析を行なう工程と、
各卵から抽出された内容物を検査し、各卵の性別を識別する工程と
を含む方法。
【請求項５４】
内容物を抽出する前に複数の卵から生存卵を識別する工程と、
生存卵と識別された卵から内容物を抽出する工程と
をさらに含むことを特徴とする請求項５３に記載の方法。
【請求項５５】
性別に基づいて卵にワクチンを選択的に注射する工程をさらに含むことを特徴とする請求項５３に記載の方法。
【請求項５６】
雄と識別された卵に第１ワクチンを注射し、雌と識別された卵に第２ワクチンを注射する工程をさらに含む請求項５５に記載の方法。
【請求項５７】
同一の性別を有すると識別された卵を取除く工程をさらに含む請求項５５に記載の方法。
【請求項５８】
鳥類の卵を処理する方法において、
複数の卵から生存卵を識別する工程と、
生存卵と識別された卵から内容物を抽出する工程と、
各卵から抽出された内容物に遺伝分析を行なう工程と
を含む方法。